(57)【要約】      （修正有）【課題】後付け錠において、施錠に際しての落下が防止されて、落下による損傷が防がれるとともに安全に使用されるものを提供する。【解決手段】戸枠側にその先端側がマグネット吸着性を有する開き戸の表面より外方に突出するように取り付けられる保持片と、保持片にロックされる状態で保持されて開き戸の表面に装着される錠本体３とからなる錠において、錠本体３の開き戸の表面への装着面に、錠本体３から離脱することなく、かつ、開き戸側に突出変位可能にマグネット３０が設けられてなるもの。【選択図】図２
0003181192.tif 000002
【実用新案登録請求の範囲】
【請求項１】
戸枠側にその先端側がマグネット吸着性を有する開き戸の表面より外方に突出するように取り付けられる保持片と、前記保持片にロックされる状態で保持されて前記開き戸の表面に装着される錠本体とからなる錠において、
前記錠本体の前記開き戸の表面への装着面に、前記錠本体から離脱することなく、かつ、前記開き戸側に突出変位可能にマグネットが設けられてなることを特徴とする錠。
【考案の詳細な説明】
【技術分野】
【０００１】  この考案は、マンションのドアやロッカーの扉等において後付けにより使用される錠に関する。
【背景技術】
【０００２】  最近、防犯の観点からマンション等のドアに後付けの補助錠が使用されることが多くなっている。また、ロッカーにおいて錠が故障した場合等には後付けの錠が取り付け使用される。そのような後付けの錠として、開口枠にその先端側がドアや扉表面より外方に突出するように取り付けられる保持片と、その保持片にロックされる状態で保持されてドアや扉の表面に装着される錠本体とからなるものが提供されている。この後付けの錠は、例えば、マンションにおける外出時の施錠に際しては、差し入れ穴に保持片が差し入れられて錠本体がドア表面に仮り装着され、錠本体で施錠動作が行われて固定され、錠本体がドア枠に係止することでドアの開き動作が阻止されるようになっている。
【考案の概要】
【考案が解決しようとする課題】
【０００３】  上記従来の錠は施錠に際し錠本体が落下する問題があった。錠本体の差し入れ穴への保持片の差し入れは錠本体が開錠状態において行うが、誤って施錠状態において行った場合には錠本体内のロック機能を果たすラッチボールに保持片先端が衝突して差し入れが行えず（実施例を参照）、衝突による戻り動作により保持片から錠本体が抜け落ちることとなる。錠本体は落下により損傷する場合があり、また、ある程度重量があるので足等に当たった場合には怪我をする恐れがあった。【０００４】  この考案は上記の点に鑑みて行ったもので、後付け錠において、施錠に際しての落下が防止されて、落下による損傷が防がれるとともに安全に使用できるものを提供することを目的とする。
【課題を解決するための手段】
【０００５】  この考案では、戸枠側にその先端側がマグネット吸着性を有する開き戸の表面より外方に突出するように取り付けられる保持片と、前記保持片にロックされる状態で保持されて前記開き戸の表面に装着される錠本体とからなる錠において、前記錠本体の前記開き戸の表面への装着面に、前記錠本体から離脱することなく、かつ、前記開き戸側に突出変位可能にマグネットが設けられてなることを特徴とする錠を提供する。【０００６】  上記構成によれば、錠本体の装着面をマグネット吸着性を有する開き戸の表面に近接させると、マグネットが開き戸側に突出変位して吸着し、かつ、マグネットが錠本体から離脱しないことで、錠本体は開き戸表面に保持される。したがって、錠本体の保持片への取り付けを、誤って施錠状態となっている際に行って保持片が差し入れられない場合にも、錠本体は開き戸表面に保持され、手を離してもその落下が防止される。
【考案の効果】
【０００７】  この考案によれば、施錠に際しての落下が確実に防止され、落下による損傷が防がれるとともに安全に使用される、マンションのドアやロッカーの扉等において後付け錠として好適に用いられる錠が得られる。
【図面の簡単な説明】
【０００８】
【図１】  この考案の錠の実施例の前面側斜視図
【図２】  この考案の錠に使用する錠本体の実施例の背面側斜視図
【図３】  この考案の錠の実施例の分解図
【図４】  この考案の錠に使用する操作つまみ部分の実施例の分解図
【図５】  この考案の錠における作動カムの動作説明図
【図６】  この考案の錠の取り付け状態説明図
【図７】  この考案の錠の施錠動作説明図
【図８】  この考案の錠の施錠動作説明図
【図９】  この考案の錠の非常時開錠動作説明図
【考案を実施するための形態】
【０００９】  図１はこの考案の錠の前面側斜視図、図２は錠本体の背面側斜視図、図３は錠の分解図である。
【００１０】  錠１は錠本体３と保持金具（保持片）５とからなる。錠本体１は前面ケース７と裏板８とにより外郭が形成され、その内部にロック作動機構１０とマグネット３０が内装され、裏板８面にはマグネットシート９が貼り付けられている。
【００１１】  前面ケース７には操作つまみ１１が突出する開口４とダイヤルロック器１２の操作穴６とが設けられている。裏板８にはマグネット３０の収納部３２、保持金具５の差し入れ穴３５、操作つまみ１１の軸支穴３６が設けられ、さらに、内面にはダイヤルロック器１２の装着固定部３７が設けられ、その装着固定部３７には図に現れないがダイヤル数値の設定穴が形成されている。裏板８はネジ穴２、２…の位置でネジ固定されて前面ケース７に固定される。
【００１２】  ロック作動機構１０は、操作つまみ１１とダイヤルロック器１２とシリンダー錠１３と作動カム１４とラッチボール１５とから構成される。
【００１３】  操作つまみ１１は、図４に示すように、円筒状の操作部１６とその下部に連続するカム部１７とからなり、カム部１７はカム凹部１７ａを備えるとともに作動カム１４の装着凹部１９を備えている。さらに、カム部１７の下周縁部にはロック凹部２２が設けられるとともに、カム部１７の端部面には裏板８の軸支穴３６に軸支される軸支部３９が突出形成されている。
【００１４】  シリンダー錠１３は前面に鍵穴２１を備えるとともに端部に内筒に一体の係止凸部２３を備え、操作つまみ１１の開口２５内に内嵌装着されて設けられる。
【００１５】  作動カム１４は係止溝２６を備え、操作つまみ１１のカム部１７の装着凹部１９に側方から差し入れられて装着され、上記シリンダー錠１３はこの作動カム１４の装着後に装着され、その際に係止凸部２３が係止溝２６に係止される。作動カム１４は、係止凸部２３が図５において点線で示すように係止溝２６の上部に位置する際には、その側部１４ａが凹んで位置してカム凹部１７ｃを形成し（非常時）、係止凸部２３が実線で示すように係止溝２６の下部に位置する際には、その側部１４ａがカム凸部１７ｂを形成する（通常時）。
【００１６】  ダイヤルロック器１２はダイヤル操作部２７とその操作に連動する係止部２８を備え、係止部２８は施錠時において操作つまみ１１のロック凹部２２に係止する。
【００１７】  ラッチボール１５は操作つまみ１１のカム部１７の側位置に移動可能に配置される。
【００１８】  マグネット３０はマグット本体３１の両面にヨーク片３８、３８が吸着により取り付けられて一体に構成され、裏８の内面に突出形成される収納部３２内に、図６に示すように、移動可能に設けられる。マグネット３０はヨーク片３８、３８の係止部３３、３３のそれぞれが収納部３２の開口縁に設けられる係止縁部３５、３５に係止することで収納部３２内から抜け出ることはなく、かつ、前面ケース７が有ることで収納部３２奥方へ抜け出ることもない。
【００１９】  保持金具５は金属プレートよりなり、先端側にラッチボール１５の係止穴４０が設けられ、基部はクランプ部４１とされて固定ネジ４２が取り付けられている。保持金具５は、図６に示すように、クランプ部４１内にドアや扉の枠の凸縁６１が嵌合される状態で固定ネジ４２で取り付けられ、その取り付けられた状態においてその先端側がドアや扉表面より外方に突出する。
【００２０】  マグネットシート９は裏板８の収納部３２、差し入れ穴３５、軸支穴３６、ダイヤル数値の設定穴それぞれに対応する位置に開口５０、５１、５２、５３のそれぞれが設けられ、裏板８面に貼り付けられて取り付けられている。
【００２１】  以下、ドアに使用される場合の動作説明を行う。
錠本体３を、図７に示す開錠状態として、ドア６０が閉じられた状態において、外方に突出する保持金具５を差し入れ穴３５に差し入れるようにして、ドア６０表面に仮り装着する。錠本体３は開錠状態においては、保持金具５の差し入れ位置にカム部１７のカム凹部１７ａが相対しているので、保持金具５が差し入れられるとラッチボール１５は保持金具５に押されてカム凹部１７ａ側に移動し、これにより保持金具５はラッチボール１５に邪魔されることなく差し入れ穴３５の奥方にまで差し入れられる。この保持金具５が十分に差し入れられた状態において係止穴４０がカム凹部１７ａに相対し、かつ、マグネットシート９が鉄製のドア６０面に吸着して錠本体３は仮り装着状態となる。また、この開錠時においてはダイヤルロック器１２の操作部２７は設定番号となっており、その係止部２８は操作つまみ１１のカム部１７から離れて位置し、かつ、カム部１７のロック凹部２２に相対していない。
【００２２】  次に操作つまみ１１が所定角度回転されてカム部１７が回転すると、カム凹部１７ａがカム凸部１７ｂに切り替わり、この切り替わり動作に伴ってラッチボール１５は保持金具５側に押し出されて係止穴４０に嵌り込む。この状態において操作つまみ１１のロック凹部２２にダイヤルロック器１２の係止部２８が相対し、次にダイヤルロック器１２の操作部２７を適宜操作して設定番号以外の番号にすると、これに連動して係止部２８はロック凹部２２に係止して、図８に示す施錠状態となる。
【００２３】  これにより操作つまみ１１を回転操作できなくなり、ラッチボール１５が保持金具５の係止穴４０に係止して錠本体３が係止金具５にロック状態に保持され、その錠本体３が係止することでドア６０の開くことが阻止される。ドア６０を開くには、ダイヤルロック器１２の操作で設定番号とすることで係止部２８をロック凹部２２から離脱させ、その状態において操作つまみ１１を所定の角度戻し回転させて図７の状態とし、錠本体３を取り外す。
【００２４】  上記の錠本体３の保持金具５への仮り装着の際の取り付けを、誤って錠本体３が施錠状態となっている状態で行った場合、保持金具５の差し入れられる位置にラッチボール１５が位置する。これにより、図６に示すように、保持金具５の先端がそのラッチボール１５に当たり、それ以上錠本体３に保持金具５を差し入れられず、錠本体３をドア６０面に当接できなくなる。この状態においては、マグネットシート９はドア６０面に吸着しないが移動可能に設けられているマグネット３０は吸着力が働くことで収納部３２から引き出されて突出し、その先端側をドア６０面に吸着させる。マグネット３０は係止縁部３５、３５に係止することで収納部３２内から抜け出ることがないので、手を離した場合においても錠本体３はドア６０面に保持され、その落下が防止される。
【００２５】  開錠に際し、ダイヤルロック器１２の操作部２７の設定番号を忘れた等の非常時の場合には、シリンダー錠１３前面の鍵穴２１に所定の鍵を挿入して回転操作することで以下のように開錠が行われる。図５の実線で示す施錠状態においてシリンダー錠１３が回転操作されると、係止凸部２３の回転移動に伴ってそれが係止する係止溝２６が移動することで作動カム１４がスライド移動して側部１４ａが後退し、図５において点線で示すように、また、図９に示すように、カム凸部１７ｂの有った位置にカム凹部１７ｃが形成される。このカム凹部１７ｃにラッチボール１５が移動できることで保持金具５が抜き出せ、錠本体３が取り外されて開錠がなされる。
【符号の説明】
【００２６】１  錠
３  錠本体
５  保持金具（保持片）
３０  マグネット
【図１】
0003181192.tif 000003
【図２】
0003181192.tif 000004
【図３】
0003181192.tif 000005
【図４】
0003181192.tif 000006
【図５】
0003181192.tif 000007
【図６】
0003181192.tif 000008
【図７】
0003181192.tif 000009
【図８】
0003181192.tif 000010
【図９】
0003181192.tif 000011